(57)【要約】【課題】適度の着圧性を有し、しかも締めすぎて痛くはなく、また膝の屈伸運動性のよい膝サポ−タを提供する。【解決手段】上下にずり落ち防止用の締付部Ａと膝関節皿部Ｂと襷状に囲むＸ字型部Ｃとその他の部分の編地部Ｄを有する膝関節用サポ−タにおいて、膝関節皿部Ｂは着圧がもっとも弱い編地であり、襷状に囲むＸ字型部Ｃは圧迫性編地であり、その他の部分の編地部Ｄは膝関節の曲げ伸ばしが容易に行える緩衝編地からなる膝関節用サポータを構成するものである。【選択図】図１
2007054126.tif 000002
【特許請求の範囲】
【請求項１】
上下にずり落ち防止用の締付部と膝関節皿部と襷状に囲むＸ字型部とその他の部分の編地部を有する膝関節用サポ−タにおいて、膝関節皿部は着圧がもっとも弱い編地であり、襷状に囲むＸ字型部は圧迫性編地であり、その他の部分の編地部は膝関節の曲げ伸ばしを容易に行える緩衝編地からなることを特徴とした膝関節用サポータ。
【請求項２】
サポータが、ガードルを付設されている請求項１記載の膝関節用サポータ。
【請求項３】
前記膝関節皿部の第１コースはＳＣＹを編成し、第２コースはＤＣＹを挿通し、第３コースはＳＣＹを編成し、インレイ編みで編成された請求項１記載の膝関節用サポータ。
【請求項４】
前記襷状に囲むＸ字型部の第１コースはＳＣＹとウーリーナイロン糸又はＳＣＹを添え糸とし、カットボス編みで編成し、第２コースはＤＣＹを挿通し、第３コースはＳＣＹを編成し、インレイ編みで編成された請求項１記載の膝関節用サポータ。
【請求項５】
前記その他の部分の組織の第１コースはＳＣＹで編成し、第２コースはＤＣＹを挿通し、第３コースはＳＣＹで編成し、インレイ編みで編成された請求項１記載の膝関節用サポータ。
【請求項６】
前記ガードルを付設されている膝関節用サポータにおいて、ガードルはウエストバンド部と膝のサポート部分がずり下がるのを防止するためのウエストバンドから懸架された側方部分とその他の部分とから構成された請求項１記載の膝関節用サポータ。
【発明の詳細な説明】
【技術分野】
【０００１】
本発明は、膝関節用サポータに係り、さらに詳しくは膝関節用のサポータと、膝関節用サポ−タ付きガードルに関するものである。
【背景技術】
【０００２】
市場で販売されている膝サポータの大半は、特許文献１、特許文献２に示すような保温を目的としたものである。
【特許文献１】特開２０００−３５４６０５号公報
【特許文献２】特開２００３−２４７１５１号公報
【０００３】
またスポ−ツ用や介護用の圧迫型膝サポータは、特許文献３、特許文献４、特許文献５に示すように、アタッチメントや締付具を付けて締め付けを強化している。しかし、このような締付具を付けるタイプのものは、強く締め付けすぎると膝の後部が痛くて屈伸しにくく、気楽に着脱しうるものとはなっていなかった。
【特許文献３】特開２００３−  ７３９１３号公報
【特許文献４】特開２００３−２７８０１４号公報
【特許文献５】特開２００４−  ４４０５７号公報
【０００４】
この点、それなりの圧迫感が得られ、日常生活の中で気楽に着脱しうるものとして、各種のものが提案されている。しかし、特許文献６は、上下に締付け部分を有するため、やはり着脱は困難である。また特許文献７は、肝心の膝頭が開口されているので、膝頭をサポートすることができない。さらに特許文献８は、Ｘ字型の襷掛けを有するが、樹脂の含浸で構成されているため、圧迫力の弱いものとなっている。
【特許文献６】特開２００３−２４５３０３号公報
【特許文献７】特開２００３−２２７０１４号公報
【特許文献８】特開２００３−  ５２７２７号公報
【０００５】
一方、サポータ付きのガードルも、特許文献９により提案されている。しかし、これは、サポ−タの構成が不明確なものとなっている。
【特許文献９】特開２００２−２７５７０５号公報
【０００６】
このように、適度の着圧性を有し、しかも締めすぎることなく痛くはなく、膝の屈伸運動性が楽な膝サポータは、従来見当らなかった。
【発明の開示】
【発明が解決しようとする課題】
【０００７】
上記の事情に鑑み、本発明は、後加工によるアタッチメントを付加しないで適度の着圧性を有し、しかも締めすぎないで痛くはなく、適度の圧迫感が得られるとともに着脱が容易であり、また膝の屈伸運動性のよい膝関節用サポ−タを提供することを課題とするものである。
【課題を解決するための手段】
【０００８】
本発明は上記目的を達成するために、上下にずり落ち防止用の締付部と膝関節皿部と襷状に囲むＸ字型部とその他の部分の編地部を有する膝関節用サポ−タにおいて、膝関節皿部は着圧がもっとも弱い編地であり、襷状に囲むＸ字型部は圧迫性編地であり、その他の部分の編地部は膝関節の曲げ伸ばしを用に行える緩衝編地からなることを特徴とした膝関節用サポータを構成するものである。
【発明の効果】
【０００９】
本発明の膝関節用サポータは、Ｘ字型の襷状編地によって圧迫し、適度の着圧性を有するものとなっている。また、本発明の膝関節用サポータは、締付具がないので、強く締めすぎることもない。
【００１０】
本発明の膝関節用サポータは、膝屈伸後部を伸縮性のサポート生地にしているので、痛くなく曲げやすいため、膝の屈伸運動性のよいものとなっており、気楽に着脱しうるものとなっている。
【発明を実施するための最良の形態】
【００１１】
本発明でいう膝関節用サポータとは、膝関節用サポータと膝関節用サポータ付きのガードルを含むものである。以下、本発明の実施例を図面に基づいて詳しく説明する。
【００１２】
図１は、本発明の膝関節用サポ−タの一実施例を示す側面図である。図２は、本発明の膝関節用サポ−タの一実施例を示す展開図、図３は膝関節用サポータ付きのガードルの側面図である。
【００１３】
図１に示すように、膝関節用サポ−タ１の両端のウエルト部には、装着時に運動に伴ってずり落ちを防止するための締め付け部Ａ１，Ａ２を有する組織からなっている。
ウエルト上部Ａ１の糸使いは、例えば、３口編みからなり、第１コースはウーリーナイロン糸で編成し、第２コースはＤＣＹを挿通し、第３コースはウーリーナイロン糸を編成するものを繰り返し、インレイ編みで編成する。
ウエルト下部Ａ２の糸使いは、例えば、３口編みからなり、第１コースはＳＣＹを編成し、第２コースはウーリーナイロン糸を編成し、第３コースは第１コースと同様に、ＳＣＹを編成し、交編で編成する。
【００１４】
組織Ｂは、膝関節の皿の部分であり、着圧をもっとも弱くするために引き揃えて編み込む糸を減らしたり、他の部分より編成する口数を増加したりして編成する。例えば、他の部分が３口編成の場合は、Ｂ部分は４口編成にする。
組織Ｂの糸使いは、例えば、３口編みからなり、第１コースはＳＣＹを編成し、第２コースはＤＣＹを挿通し、第３コースはＳＣＹを編成し、インレイ編みで編成する。
【００１５】
組織Ｃは、膝関節の皿の両側面をたすき（Ｘ字型）状の構造にして膝関節の動きを補助する。
組織Ｃの糸使いは、例えば、３口編みからなり、第１コースはＳＣＹとウーリーナイロン糸を添え糸とし、カットボス編みで編成し、第２コースはＤＣＹを挿通し、第３コースはＳＣＹを編成し、インレイ編みで編成する。
【００１６】
組織Ｄ１，Ｄ２は着圧を弱くして膝関節の曲げ伸ばしを容易に行えるようにするための緩衝組織である。
組織Ｄ１は、膝関節を曲げるときに、縦方向に引き延ばされる部分で、柔軟に縦方向に伸縮する編成組織によって、引き延ばされる力が吸収され、サポータがずり下がるのを防止する。
【００１７】
組織Ｄ２は、膝関節を曲げるときに、縦方向に収縮される部分で、編地の分量が少なくなる編成組織である。編地の分量が多い場合は、編地が襞状に重なって横方向に多数のしわが出来る。このしわは膝の裏側の皮膚に食い込んで痛みを生じる。より編地の分量を少なくするために、２本の糸を引き揃えて編成し、その部分だけ編み込む糸を１本だけにして減らす場合もある。
【００１８】
組織Ｄ１，Ｄ２の糸使いは、例えば、３口編みからなり、第１コースはＳＣＹで編成し、第２コースはＤＣＹを挿通し、第３コースはＳＣＹを編成し、インレイ編みで編成する。
【００１９】
ここで、ＳＣＹとはポリウレタン弾性糸芯糸にウーリーナイロン糸又はフィラメント糸をシングルカバリングした糸、ＤＣＹとはポリウレタン弾性糸芯糸にウーリーナイロン糸又はフィラメント糸をダブルカバリングした糸をいう。
交編とは、２種類以上の編糸を交互に組み合わせて編成した編地であり、本願の場合、通常はサポート糸とナイロン糸とを交互に編成し、ナイロン糸に透明感があるため、ゾッキ編より透明感が高くファッション性に優れている。
インレイ編とは、編地に本発明の場合、ポリウレタン弾性糸を挿入して編成することをいう。
カットボス編とは、地糸の上に別の糸を重ねて編成する場合に、地糸からなる編地の部分的な領域に別の糸を編み込んで編成することを総称していう。機能的には、部分的な補強を目的とする場合とデザインを目的とする場合があるが、本発明の場合は、部分的な補強を目的としている。
従って、膝を曲げ伸ばしする際に、膝前部Ｂは飛び出しに添って伸び、膝屈曲後部２の折れ曲がりに添って縮小するようになっているから、フロート編による交編やインレー編が好ましい。
なお、ゾッキ編みとは、１種類の弾性糸で編成した編地であって、編地に横じまがなく、肌ざわりがなめらかであり、縦横方向によく伸びフット感に優れており、長時間着用してもたるみやひきつれが起こりにくい。
【００２０】
更に、図３に示すように、膝関節用サポ−タ付きのガードル２は、膝関節用サポ−タが着用時にずり落ちてくるのを防止するために、パンツと一体型に形成したものである。
通常の多くの膝関節用サポ−タは、着用していると時間の経過と共に歩行などの運動によって徐々にずり落ちてくるが、これを防止するために金属やプラスティック等のサイドボーンなどのアタッチメントを付加している。
本発明は上記後加工によるアタッチメントを付加しないで、長時間ずり落ちない膝関節用サポ−タが着用時にずり落ちないサポータを提供するものである。
【００２１】
図３に示すように、ガードル付き膝サポータ１０１は、全体として、組織Ａ，Ｂ，Ｃ１，Ｃ２，Ｃ３，Ｄ，Ｅ，Ｆの部分からなっている。
組織Ａは上端のウエストバンド部であり、ガードル付き膝サポータ全体を腰部で保持するためにゴム編み組織で編成されている。
なっている。
ウエストバンド部Ａの糸使いは、例えば、４口編みからなり、第１コースはＤＣＹ、第２コースはＳＣＹ、第３コースはウーリーナイロン双糸又はフィラメント糸、第４コースはウーリーナイロン双糸又はフィラメント糸をこの順で繰り返し、交編またはフロート編みで編成する。
【００２２】
組織Ｂはベースの編地が伸びて膝のサポート部分がずり下がるのを防止するために、カットボス編みによってウエストバンドからストラップでつり下げた構成に編成している。
組織Ｂの糸使いは、例えば、４口編みからなり、第１コースはＤＣＹにＳＣＹ糸を添糸とし、カットボス編みで編成し、第２コースはウーリーナイロン双糸又はフィラメント糸、第３コースはＤＣＹにＳＣＹ糸を添糸とし、カットボス編みで編成し、第４コースはウーリーナイロン双糸又はフィラメント糸をこの順で繰り返し、縦に伸びにくい編み組織で編成する。
【００２３】
組織Ｃ１，Ｃ２，Ｃ３はベースの組織で、通常のゾッキ編み、交編、フロート編み、インレイ編み等で編成する。
なお、組織Ｃ２，Ｃ３は膝の皿部分と膝の裏側の部分であり、ともに生地厚と着圧を弱めている。
組織Ｃ１，Ｃ２，Ｃ３の糸使いは、例えば、４口編みからなり、第１コースはＤＣＹ、第２コースはウーリーナイロン双糸又はフィラメント糸、第３コースはＤＣＹ、第４コースはウーリーナイロン双糸又はフィラメント糸をこの順で繰り返し、交編で編成する。
【００２４】
組織Ｄは膝関節のサポータの上部のバンド部であり、ゴム編み組織で編成する。  組織Ｆも膝関節のサポータの下部のバンド部であり、ゴム編み組織で編成する。  バンド部Ｄ，Ｆの糸使いは、例えば、４口編みからなり、第１コースはＤＣＹ、第２コースはウーリーナイロン双糸又はフィラメント糸、第３コースはＤＣＹ、第４コースはウーリーナイロン双糸又はフィラメント糸をこの順で繰り返し編成する。なお、第２コースと第４コースはフロート編みに編成してもよい。
【００２５】
組織Ｅは、膝関節の皿の両側面をたすき（Ｘ字型）状の構造にして膝関節の動きを補助する部分で、着圧を強くするために太いシングルカバリング糸でカットボス編成している。
組織Ｅの糸使いは、例えば、４口編みからなり、第１コースはＤＣＹ、第２コースはウーリーナイロン双糸又はフィラメント糸、第３コースはＤＣＹにＳＣＹ糸を添糸とし、カットボス編みで編成し、第４コースはウーリーナイロン双糸又はフィラメント糸をこの順で繰り返し編成する。
【００２６】
このように、編地の編成に伴って、組織を変化させるファッショニング装置、給糸時の解除テンションを一定に保つテンション装置、コンピュータ制御によって弾性糸の送りこみ量を制御する積極給糸装置を装備した編機によって編成する。また、襷状に囲むＸ字型部の組織は、任意の編地組織、例えば、平編、メッシュ編、フロート編、タック編、タック編とフロート編との組み合わせ、カットボス編等によって編成することができる。一例として、ＭＥＲＺ社、ＳＡＮＴＯＮＩ社、ＬＯＮＡＴＩ社の編機が用いられる。
【００２７】
（実施例１）
図４は、本発明の膝関節用サポ−タの一実施例を示すウエルト上部Ａ１の組織図、図５は、ウエルト下部Ａ２の組織図、図６は膝前部Ｂ及びその他のＤ部の組織図、図７は襷状に囲むＸ字型部の組織図である。
【００２８】
図１に示すように、膝関節用サポ−タ１は、両端のウエルト部の装着時に運動に伴ってずり落ちを防止するための締め付け部Ａ１，Ａ２を有する組織、膝前部Ｂ、膝の屈伸運動による伸び縮みを吸収する膝後部Ｄ２とその他の組織Ｄ１とからなっている。
【００２９】
ウエルト上部Ａ１の糸使いは、図４に示すように、３口編みからなり、第１コースＣ１は、１２２ＤＴの２４フィラメント単糸を合撚したウーリーナイロン双糸、第２コースＣ２は３９０ＤＴのポリウレタン弾性糸芯糸に７８ＤＴと１２２ＤＴのウーリーナイロン糸をダブルカバリングしたＤＣＹを挿通し、第３コースＣ３は１２２ＤＴの２４フィラメント単糸を合撚したウーリーナイロン双糸を編成し、この順で繰り返し、インレイ編みで編成する。
ここで、ＤＴとは、１００００ｍで１ｇの糸の繊度を１ＤＴとする。
【００３０】
ウエルト下部Ａ２の糸使いは、図５に示すように、３口編みからなり、第１コースＣ１は７８ＤＴのポリウレタン弾性糸芯糸に７８ＤＴのウーリーナイロン糸をシングルカバリングしたＳＣＹ、第２コースＣ２は７８ＤＴの２４フィラメント単糸を合撚したウーリーナイロン双糸、第３コースＣ３は第１コースと同様に、７８ＤＴのポリウレタン弾性糸芯糸に７８ＤＴのウーリーナイロン糸をシングルカバリングしたＳＣＹを交編で編成する。
【００３１】
膝前部Ｂ及びＤ１，Ｄ２部の糸使いは、図６に示すように、３口編みからなり、第１コースＣ１は２２ＤＴのポリウレタン弾性糸芯糸に１２２ＤＴのウーリーナイロン糸をシングルカバリングしたＳＣＹ、第２コースＣ２は３９０ＤＴのポリウレタン弾性糸芯糸に７８ＤＴと１２２ＤＴのウーリーナイロン糸をダブルカバリングしたＤＣＹを挿通し、第３コースＣ３は７８ＤＴのポリウレタン弾性糸芯糸に７８ＤＴのウーリーナイロン糸をシングルカバリングしたＳＣＹの順にインレイ編みで編成する。
【００３２】
組織Ｃの糸使いは、図７に示すように、３口編みからなり、第１コースＣ１は２２ＤＴのポリウレタン弾性糸芯糸に１２２ＤＴのウーリーナイロン糸をシングルカバリングしたＳＣＹ（Ｃ１ａ）と１２２ＤＴのウーリーナイロン２４フィラメント双糸（Ｃ１ｂ）を添え糸とし、カットボス編みで編成し、第２コースＣ２は３９０ＤＴのポリウレタン弾性糸芯糸に７８ＤＴと１２２ＤＴのウーリーナイロン糸をダブルカバリングしたＤＣＹを挿通し、第３コースＣ３は７８ＤＴのポリウレタン弾性糸芯糸に７８ＤＴのウーリーナイロン糸をシングルカバリングしたＳＣＹをこの順で編成し、インレイ編みで編成する。
【００３３】
（実施例２）
図８は、本発明のガードル付き膝関節用サポ−タの一実施例を示すウエストバンド部Ａ、バンド部ＤとＦの組織図、図９は、ウエストバンドからストラップでつり下げた部分Ｂの組織図、図１０は、襷状の囲むＸ字型部Ｅの組織図、図１１は、その他の部分Ｃの組織図である。
【００３４】
上端のウエストバンド部Ａ、バンド部Ｄ，Ｆの糸使いは、図８に示すように、４口編みからなり、第１コースＣ１は１９８ＤＴのポリウレタン弾性糸に４４ＤＴのウーリーナイロン糸をダブルカバリングしたＤＣＹ、第２コースＣ２は２２ＤＴのポリウレタン弾性糸に７８ＤＴのウーリーナイロン糸をカバリングしたＳＣＹ、第３コースＣ３は３３ＤＴの１０フィラメント単糸を合撚したウーリーナイロン双糸、第４コースＣ４は３３ＤＴの１０フィラメント単糸を合撚したウーリーナイロン双糸という順で繰り返し交編で編成する。
【００３５】
組織Ｂの糸使いは、４口編みからなり、図９に示すように、第１コースＣ１は１１７ＤＴのポリウレタン弾性糸に１３ＤＴのウーリーナイロン糸をダブルカバリングしたＤＣＹ（Ｃ１ａ）と７８ＤＴのポリウレタン弾性糸に７８ＤＴのウーリーナイロン糸をシングルカバリングしたＳＣＹ（Ｃ１ｂ）を添糸とし、カットボス編みで編成し、第２コースＣ２は３３ＤＴの１０フィラメント単糸を合撚したウーリーナイロン双糸、第３コースＣ３は第１コースと同様に、１１７ＤＴのポリウレタン弾性糸に１３ＤＴのウーリーナイロン糸をダブルカバリングしたＤＣＹ（Ｃ３ａ）と７８ＤＴのポリウレタン弾性糸に７８ＤＴのウーリーナイロン糸をシングルカバリングしたＳＣＹ（Ｃ３ｂ）を添糸とし、カットボス編みで編成し、第４コースＣ４は３３ＤＴの１０フィラメント単糸を合撚したウーリーナイロン双糸をこの順で繰り返し、ずり落ちのないような組織で編成する。
【００３６】
組織Ｅの糸使いは、４口編みからなり、図１０に示すように、第１コースＣ１は１１７ＤＴのポリウレタン弾性糸に１３ＤＴのナイロンフィラメントの糸をダブルカバリングしたＤＣＹ（Ｃ１ａ）と７８ＤＴのポリウレタン弾性糸に７８ＤＴのウーリーナイロン糸をシングルカバリングしたＳＣＹ（Ｃ１ｂ）を添糸とし、カットボス編みで編成し、第２コースＣ２は３３ＤＴの１０フィラメント単糸を合撚したウーリーナイロン双糸、第３コースＣ３は第１コースと同様に、１１７ＤＴのポリウレタン弾性糸に１３ＤＴのウーリーナイロン糸をダブルカバリングしたＤＣＹ（Ｃ３ａ）と７８ＤＴのポリウレタン弾性糸に７８ＤＴのウーリーナイロン糸をシングルカバリングしたＳＣＹ（Ｃ３ｂ）を添糸とし、カットボス編みで編成し、第４コースＣ４は３３ＤＴの１０フィラメント単糸を合撚したウーリーナイロン双糸をこの順で繰り返し、交編で編成する。
【００３７】
組織Ｃの糸使いは、図１１に示すように、４口編みからなり、第１コースＣ１は１１７ＤＴのポリウレタン弾性糸に１３ＤＴのナイロンフィラメント糸をダブルカバリングしたＤＣＹを編成し、第２コースＣ２は３３ＤＴの１０フィラメント単糸を合撚したウーリーナイロン双糸を編成し、第３コースＣ３は１１７ＤＴのポリウレタン弾性糸芯糸に１３ＤＴのウーリーナイロン糸をダブルカバリングしたＤＣＹを編成し、第４コースＣ４は３３ＤＴの１０フィラメント単糸を合撚したウーリーナイロン双糸をこの順で繰り返し交編で編成する。
【産業上の利用可能性】
【００３８】
本発明の膝サポ−タは、日常の保温用を始め、スポ−ツ用や介護用としても、広く利用しうるものである。
【図面の簡単な説明】
【００３９】
【図１】本発明の膝サポータの一実施例を示す側面図である。
【図２】本発明の膝サポータの一実施例を示す展開図である。
【図３】本発明のガードル付き膝サポータの一実施例を示す側面図である。
【図４】本発明の膝サポータのウエルト上部の組織図である。
【図５】本発明の膝サポータのウエルト下部の組織図である。
【図６】本発明の膝サポータの膝膝前部及びその他の部の組織図である。
【図７】本発明の膝サポータの襷状に囲むＸ字型部の組織図である。
【図８】本発明のガードル付き膝関節用サポ−タの一実施例を示すウエストバンド部及び膝関節用サポータの上バンド部、下バンド部の組織図である。
【図９】本発明のガードル付き膝関節用サポ−タの一実施例を示すウエストバンド部からストラップでつり下げた部分の組織図である。
【図１０】本発明のガードル付き膝関節用サポ−タの一実施例を示す襷状に囲むＸ字型部の組織図である。
【図１１】本発明のガードル付き膝関節用サポ−タの一実施例を示すその他の部分の組織図である。
【符号の説明】
【００４０】
１          膝関節用サポータ
１０１      ガードル付き膝関節用サポータ
Ａ          締付部
Ｂ，Ｃ３   
膝前部
Ｄ２，Ｃ３  膝屈曲後部
Ｃ，Ｅ      Ｘ字型編地
Ｄ１        その他の編地
【図１】
2007054126.tif 000003
【図２】
2007054126.tif 000004
【図３】
2007054126.tif 000005
【図４】
2007054126.tif 000006
【図５】
2007054126.tif 000007
【図６】
2007054126.tif 000008
【図７】
2007054126.tif 000009
【図８】
2007054126.tif 000010
【図９】
2007054126.tif 000011
【図１０】
2007054126.tif 000012
【図１１】
2007054126.tif 000013